(57)【特許請求の範囲】
【請求項１】
カラー受像管のネック部に装着される偏向ヨークであり、前記カラー受像管の管軸方向の一方を小径、他方を大径とする一対の垂直偏向コイルを備えた偏向ヨークにおいて、
前記垂直偏向コイルは、
電線が第１の方向に巻線された小径部と、
電線が前記第１の方向と略平行方向に巻線された大径部と、
前記小径部と前記大径部とを繋ぎ、電線が前記第１の方向と交差する方向である第２の方向に巻線された一対の側面部とを備え、
前記一対の側面部間には、開口とされた窓部が形成されており、
前記一対の側面部の大径側の端部はそれぞれ複数のセクションに分割されており、前記一対の側面部それぞれの最も前記窓部側に位置する第１のセクションのみが前記第２の方向の巻線として前記大径部に繋がることなく、互いに内側に曲げられて連結し、前記第１の方向と略平行方向に巻線された部分を有する連結部とされており、
前記一対の側面部それぞれの前記第１のセクション以外の第２のセクションは前記第２の方向の巻線として前記大径部に繋がっており、
前記大径部は、前記一対の側面部に対して折曲されて、ベンドアップ部とされており、
前記ベンドアップ部の小径側の端部から前記小径部の小径側の端部までの長さをＬ０、前記ベンドアップ部の小径側の端部から前記窓部の大径側の端部までの長さをＬ１としたとき、前記窓部の大径側の端部は、Ｌ１／Ｌ０が１〜３０％の範囲内となるよう、前記ベンドアップ部の小径側の端部よりも小径側に位置していることを特徴とする偏向ヨーク。
【請求項２】
前記窓部の大径側の端部は、Ｌ１／Ｌ０が１０〜２０％の範囲内となるよう、前記ベンドアップ部の小径側の端部よりも小径側に位置していることを特徴とする請求項１記載の偏向ヨーク。
【発明の詳細な説明】
【０００１】
【発明の属する技術分野】
本発明は、テレビジョン受像機やディスプレイ装置等のカラー受像管を用いた画像表示装置に用いられる偏向ヨークに係り、特に、サドル型垂直偏向コイルを改良した偏向ヨークに関する。
【０００２】
【従来の技術】
３電子銃インライン型カラー受像管を使用した画像表示装置において、３本の電子銃から発せられる３つの電子ビームをスクリーン面（画面）上に良好に集中（コンバーゼンス）させるための方法の１つとして、セルフコンバーゼンス方式の偏向ヨークを用いる方法がある。セルフコンバーゼンス方式の偏向ヨークは、上下一対のサドル型水平偏向コイルと、左右一対のサドル型垂直偏向コイルから構成されるのが一般的で、良好なコンバーゼンス特性を得る仕組みになっている。
【０００３】
偏向ヨークにおけるコンバーゼンス特性や偏向歪特性は、水平偏向コイル，垂直偏向コイル（以下、総称して偏向コイルと呼ぶ）の電線の位置や分布によって大きな影響を受ける。従って、一般に量産される偏向ヨークの偏向コイルは、その形状や電線分布を調整することにより所望の特性を得ている。
【０００４】
近年のカラー受像管を用いた画像表示装置の高精細化・フラット化に伴い、偏向ヨークの偏向歪特性に対してより厳しい要求が課せられている。特に、受像管のフラット化により、図３に示すような、画面上下方向中央部と上下端部とのそれぞれの略中央部に発生する横線ラスタの糸巻き歪の改善が課題となっている。
【０００５】
図４は従来の偏向ヨークで用いていた垂直偏向コイルの平面図である。図４において、Ｙは偏向ヨークをカラー受像管に装着した場合の画面の垂直軸方向、Ｚはカラー受像管の管軸方向である。垂直偏向コイル１は、小径側ベンドアップ部２と、大径側ベンドアップ部３と、小径側ベンドアップ部２と大径側ベンドアップ部３とを繋ぐ一対の側面部４とよりなる。小径側ベンドアップ部２と大径側ベンドアップ部３と側面部４とで囲まれた垂直偏向コイル１の中央部は、窓部５となっている。
【０００６】
図４に示すように、垂直偏向コイル１の最内周に巻回された電線が形成する窓部５の大径側端部は、大径側ベンドアップ部３の小径側ベンドアップ部２側の端部と同じ位置となっている。
【０００７】
また、垂直偏向コイル１のそれぞれの側面部４は、大径側で６Ａ，６Ｂ，６Ｃの３つのセクションに分割して巻回されており、小径側で７Ａ，７Ｂの２つのセクションに分割して巻回されている。これらのセクション６Ａ〜６Ｃ及び７Ａ，７Ｂ内の電線数は、図６に示すＹ（垂直）軸のミスコンバーゼンスパターンが発生しないように設定される。
【０００８】
図６において、（ａ）は垂直偏向磁界のバレルが強くなりすぎたために発生するＹ軸のバレルミスコンバーゼンスパターン、（ｂ）は垂直偏向磁界のバレルが弱くなりすぎたために発生するＹ軸のピンクッションミスコンバーゼンスパターンをそれぞれ示している。なお、図６中、実線はＲ（赤）、破線はＢ（青）の輝線を表している。これらのミスコンバーゼンスは、一般にＹＨミスコンバーゼンスと称されている。
【０００９】
図５は、図４の破線８で示す位置におけるＺ（管）軸方向に垂直な断面図を示している。図５中の白点は、その断面における、受像管の画面に向かって右側の垂直偏向コイル１の電線位置を示している。また、図５中の▲１▼，▲２▼，▲３▼，▲４▼は、それぞれ、その断面における、図３の画面における▲１▼，▲２▼，▲３▼，▲４▼の各ポイントに偏向される電子ビームの位置を示している。図５中のＸは画面の水平軸である。
【００１０】
さらに、図５中の矢印Ａ１は、画面上側偏向時に、垂直偏向コイル１のセクション６Ａの電線群が発生する磁界の向きを、矢印Ａ２は▲３▼の電子ビームがセクション６Ａの電線群が発生する磁界により力を受ける方向を、矢印Ａ３は▲４▼の電子ビームがセクション６Ａの電線群が発生する磁界により力を受ける方向を示している。
【００１１】
図５における矢印Ａ２と矢印Ａ３とを比較すると、セクション６Ａの電線群により近い距離にあり、しかも矢印の向きがよりＹ軸方向に向いている▲４▼の電子ビームの方が、▲３▼の電子ビームよりもＹ軸方向に強い力を受けていることが分かる。よって、図３における▲４▼のポイントに偏向される電子ビームは、▲３▼のポイントに偏向される電子ビームよりもＹ軸方向の偏向量が大きくなり、画面上下方向中央部と上下端部とのそれぞれの略中央部に発生する横線ラスタの糸巻き歪を悪化させる。
【００１２】
同様に、図３における▲５▼，▲６▼，▲７▼の各ポイントに偏向される電子ビームも、セクション６Ａの電線群が発生する磁界によって、横線ラスタの糸巻き歪を悪化させる。
【００１３】
【発明が解決しようとする課題】
このように、従来の垂直偏向コイル１は、窓部５の大径側の端部近傍に位置する側面部４の電線群が発生する磁界が画面上下方向中央部と上下端部とのそれぞれの略中央部に発生する横線ラスタの糸巻き歪を悪化させるという問題点があり、その解決が望まれていた。
【００１４】
本発明はこのような問題点に鑑みなされたものであり、画面上下方向中央部と上下端部とのそれぞれの略中央部に発生する横線ラスタの糸巻き歪を悪化させることのない偏向ヨークを提供することを目的とする。
【００１５】
【課題を解決するための手段】
本発明は、上述した従来の技術の課題を解決するため、カラー受像管のネック部に装着される偏向ヨークであり、前記カラー受像管の管軸方向の一方を小径、他方を大径とする一対の垂直偏向コイル（１１）を備えた偏向ヨークにおいて、前記垂直偏向コイルは、電線が第１の方向に巻線された小径部（１２）と、電線が前記第１の方向と略平行方向に巻線された大径部（１３）と、前記小径部と前記大径部とを繋ぎ、電線が前記第１の方向と交差する方向である第２の方向に巻線された一対の側面部（１４）とを備え、前記一対の側面部間には、開口とされた窓部（１５）が形成されており、前記一対の側面部の大径側の端部はそれぞれ複数のセクションに分割されており、前記一対の側面部それぞれの最も前記窓部側に位置する第１のセクションのみが前記第２の方向の巻線として前記大径部に繋がることなく、互いに内側に曲げられて連結し、前記第１の方向と略平行方向に巻線された部分を有する連結部とされており、前記一対の側面部それぞれの前記第１のセクション以外の第２のセクションは前記第２の方向の巻線として前記大径部に繋がっており、前記大径部は、前記一対の側面部に対して折曲されて、ベンドアップ部とされており、前記ベンドアップ部の小径側の端部から前記小径部の小径側の端部までの長さをＬ０、前記ベンドアップ部の小径側の端部から前記窓部の大径側の端部までの長さをＬ１としたとき、前記窓部の大径側の端部は、Ｌ１／Ｌ０が１〜３０％の範囲内となるよう、前記ベンドアップ部の小径側の端部よりも小径側に位置していることを特徴とする偏向ヨークを提供するものである。
【００１６】
【発明の実施の形態】
以下、本発明の偏向ヨークについて、添付図面を参照して説明する。図１は本発明の偏向ヨークで用いる垂直偏向コイルの一実施形態を示す平面図、図２は本発明の偏向ヨークで用いる垂直偏向コイルと電子ビームの位置関係を示す断面図である。図１，図２において、図４，図５と同一部分には同一符号が付してある。
【００１７】
図１において、本発明の偏向ヨークで用いる垂直偏向コイルの一実施形態である垂直偏向コイル１１は、小径側ベンドアップ部１２と、大径側ベンドアップ部１３と、小径側ベンドアップ部１２と大径側ベンドアップ部１３とを繋ぐ一対の側面部１４とよりなる。小径側ベンドアップ部１２と大径側ベンドアップ部１３と側面部１４とで囲まれた垂直偏向コイル１１の中央部は、開口とされた窓部１５となっている。本実施形態では、垂直偏向コイル１１の小径側もベンドアップ部としているが、小径側がベンドレスタイプの垂直偏向コイルであってもよい。
【００１８】
本発明の偏向ヨークは、一対の垂直偏向コイル１１を備え、カラー受像管のネック部に装着される。偏向ヨークは、カラー受像管の管軸方向の一方が小径、他方が大径である。垂直偏向コイル１１の小径側ベンドアップ部１２の電線の巻線方向を第１の方向とすると、大径側ベンドアップ部１３は、電線を第１の方向と略平行方向であり、第１の方向とは逆方向に巻線した部分である。側面部１４は、電線を第１の方向と交差する方向に巻線した部分である。一対の側面部１４における巻線方向は互いに逆方向である。大径側ベンドアップ部１３は、破線１８で示す位置にて、一対の側面部１４に対して折曲されている。
【００１９】
図１に示す垂直偏向コイル１１においては、図４に示す垂直偏向コイル１と異なり、窓部１５の大径側端部が距離Ｌ１だけ小径側に近付いた位置に位置している。窓部１５の大径側端部が距離Ｌ１だけ小径側に近付くことにより、一対の側面部１４の大径側端部は、連結部１９によって互いに連結されている。連結部１９の巻線方向は、側面部１４の巻線方向と交差する方向であり、小径側ベンドアップ部１２及び大径側ベンドアップ部１３と略平行方向である。連結部１９の大径側端部（図１の左端部）は破線１８で示す位置にて折曲して、大径側ベンドアップ部１３に繋がっている。
【００２０】
垂直偏向コイル１１のそれぞれの側面部４は、大径側で１６Ａ，１６Ｂ，１６Ｃの３つのセクションに分割して巻回されており、小径側で１７Ａ，１７Ｂの２つのセクションに分割して巻回されている。これらのセクション１６Ａ〜１６Ｃ及び１７Ａ，１７Ｂ内の電線数は、図６に示すＹ軸のミスコンバーゼンスパターン（ＹＨミスコンバーゼンス）が発生しないように設定される。それぞれの側面部４のセクション１６Ａが連結して、連結部１９となっている。
【００２１】
図２は、図１の破線１８で示す位置におけるＺ軸方向に垂直な断面図を示している。図２中の白点は、その断面における、受像管の画面に向かって右側の垂直偏向コイル１１の電線位置を示している。また、図２中の▲１▼，▲２▼，▲３▼，▲４▼は、それぞれ、その断面における、図３の画面における▲１▼，▲２▼，▲３▼，▲４▼の各ポイントに偏向される電子ビームの位置を示している。
【００２２】
上記のように、垂直偏向コイル１１は、最内周に巻回された電線が形成する窓部１５の大径側端部が大径側ベンドアップ部１３の小径側端部よりも小径側に位置するように巻線されている。従って、図２に示すように、図１の破線１８で示す位置における断面においては、セクション１６Ａの電線群がない。よって、図５にて説明した従来例と異なり、セクション１６Ａの電線群が発生する磁界によって、画面上下方向中央部と上下端部とのそれぞれの略中央部に発生する横線ラスタの糸巻き歪を悪化させるということはない。
【００２３】
このように、本実施形態の垂直偏向コイル１１は、窓部１５の大径側端部を大径側ベンドアップ部１３の小径側端部よりも小径側に位置させているので、セクション１６Ａの電線群が画面上下方向中央部と上下端部とのそれぞれの略中央部の横線ラスタに及ぼす悪影響を大幅に低減させることができ、よって、横線ラスタの糸巻き歪を悪化させることがない。
【００２４】
ところで、窓部１５の大径側端部をより小径部側に、即ち、図１の距離Ｌ１を大きくすればするほどセクション１６Ａの電線群によって電子ビームが影響を受けない領域（コイルのＺ軸方向領域）が広がることになる。しかしながら、垂直偏向コイル１１のＺ軸方向中間部から小径側の領域では、偏向磁界が偏向歪に与える影響は小さくなるため、必要以上に距離Ｌ１を大きく設定しても横線ラスタの糸巻き歪の改善量は大きくならない。かえって、図６で説明したＹＨミスコンバーゼンスの発生が問題となる。
【００２５】
本発明者による実験の結果、窓部１５の大径側端部の位置（距離Ｌ１）を次のように設定すれば、横線ラスタの糸巻き歪の改善と、ＹＨミスコンバーゼンスの改善とを両立させることができるということが明らかとなった。図１に示す大径側ベンドアップ部１３の小径側端部から小径側ベンドアップ部１２の小径側端部までの距離をＬ０とする。表１に、Ｌ１／Ｌ０と糸巻き歪及びＹＨミスコンバーゼンスの改善効果との関係を示す。
【００２６】
【表１】
0003818190.tif 000002
【００２７】
表１における改善効果とは、横線ラスタの糸巻き歪の改善とＹＨミスコンバーゼンスの改善とを両立させる効果であり、評価×は“いずれか一方の効果がない”、評価○は“良好に両立”、評価◎は“極めて良好に両立”を意味している。上記の説明より分かるように、０％（図４の従来例に相当）は横線ラスタの糸巻き歪が改善されないことにより評価×、３０％超はＹＨミスコンバーゼンスが発生することにより評価×である。
【００２８】
表１より分かるように、Ｌ１／Ｌ０は、１〜３０％とすることが必要であり、より好ましくは、１０〜２０％である。本実施形態の垂直偏向コイル１１を１７型カラー受像管用偏向ヨークに組み込み、画面上下方向中央部と上下端部とのそれぞれの略中央部の横線ラスタの糸巻き歪を確認したところ、歪量を約３０％改善できることが確認された。
【００２９】
【発明の効果】
以上詳細に説明したように、本発明によれば、画面上下方向中央部と上下端部とのそれぞれの略中央部に発生する横線ラスタの糸巻き歪を悪化させることがない。また、ＹＨミスコンバーゼンスも発生せず、横線ラスタの糸巻き歪の改善とＹＨミスコンバーゼンスの改善とを両立させることができる。
【図面の簡単な説明】
【図１】本発明の偏向ヨークで用いる垂直偏向コイルの一実施形態を示す平面図である。
【図２】本発明の偏向ヨークで用いる垂直偏向コイルと電子ビームの位置関係を示す断面図である。
【図３】画面上下方向中央部と上下端部とのそれぞれの略中央部に発生する横線ラスタの糸巻き歪を示す図である。
【図４】従来の偏向ヨークで用いていた垂直偏向コイルの平面図である。
【図５】本発明の偏向ヨークで用いる垂直偏向コイルと電子ビームの位置関係を示す断面図である。
【図６】ＹＨミスコンバーゼンスを示す図である。
【符号の説明】
１１  垂直偏向コイル
１２  小径側ベンドアップ部（小径部）
１３  大径側ベンドアップ部（大径部）
１４  側面部
１５  窓部
１６Ａ，１６Ｂ，１６Ｃ，１７Ａ，１７Ｂ  セクション
１９  連結部
【図１】
0003818190.tif 000003
【図２】
0003818190.tif 000004
【図３】
0003818190.tif 000005
【図４】
0003818190.tif 000006
【図５】
0003818190.tif 000007
【図６】
0003818190.tif 000008